【手続補正書】
【提出日】平成20年12月3日(2008.12.3)
【手続補正１】
【補正対象書類名】特許請求の範囲
【補正対象項目名】全文
【補正方法】変更
【補正の内容】
【特許請求の範囲】
【請求項１】
所定のリード角を有する断面隆起状部を外周に備えた一方の構成部材と、
この一方の構成部材の断面隆起状部と等しいリード角を有する断面隆起状部を内周に備えた他方の構成部材とからなり、
前記一方の構成部材の外周または前記他方の構成部材の内周のいずれかに、前記断面隆起状部のリード角とは異なるリード角を有する他の断面隆起状部を設け、
前記両構成部材において、リード角を同じにした断面隆起状部は互いにねじ結合する一方、前記所定のリード角を有するいずれかの断面隆起状部が、リード角を同じにした断面隆起状部とリード角を異にした断面隆起状部との間に圧入されながらねじ込み移動して摩擦係合することで、前記一方の構成部材と前記他方の構成部材とが圧着し前記両構成部材が一体に固定されるとともに密封状態となること、
を特徴とする二構成部材間の締結装置。
【請求項２】
前記一方の構成部材は、容器本体であり、
前記他方の構成部材は、蓋であり、
前記両構成部材において、リード角を同じにした断面隆起状部は互いにねじ結合する一方、前記所定のリード角を有するいずれかの断面隆起状部が、リード角を同じにした断面隆起状部とリード角を異にした断面隆起状部との間に圧入されながらねじ込み移動し、摩擦係合することで、前記容器本体の口部が前記蓋の天井内壁に圧着し、前記密封状態となること、
を特徴とする請求項１記載の二構成部材間の締結装置。
【請求項３】
前記摩擦係合の際に、リード角が等しい前記一方の構成部材の断面隆起状部と前記他方の構成部材の断面隆起状部とが面接触状態で係合することを特徴とする請求項１または請求項２記載の二構成部材間の締結装置。
【請求項４】
所定のリード角を有する断面隆起状部と、この断面隆起状部とは異なるリード角を有する他の断面隆起状部とを外周に備えた一方の構成部材に対して、前記所定のリード角を有する断面隆起状部と同じリード角を有する断面隆起状部を備えた他方の構成部材を締結する方法であって、
前記両構成部材においてリード角を同じにした断面隆起状部を互いにねじ結合させ、前記所定のリード角を有する断面隆起状部と、リード角を異にした他の断面隆起状部とを互いに摩擦係合をさせて、前記一方の構成部材と前記他方の構成部材とが圧着して前記両構成部材を一体に固定し密封状態とすること、
を特徴とする二構成部材間の締結方法。
【請求項５】
第１の断面隆起状部と、前記第１の断面隆起状部のリード角とは異なる第１のリード角の第２の断面隆起状部とを、外周および内周の一方に備えた一方の構成部材と、
前記第１のリード角とは異なる第２のリード角の第３の断面隆起状部を、外周および内周の他方に備えた他方の構成部材とからなり、
前記両構成部材において、前記第３の断面隆起状部の前記第２のリード角の面と、前記第２の断面隆起状部の前記第１のリード角の面とが接触しつつ、前記第３の断面隆起状部が、前記第１の断面隆起状部と前記第２の断面隆起状部との間に圧入されながらねじ込み移動していって摩擦係合し、前記一方の構成部材と前記他方の構成部材とが圧着し前記両構成部材が一体に固定されるとともに密封状態となること、
を特徴とする二構成部材間の締結装置。
【請求項６】
第１の断面隆起状部と、前記第１の断面隆起状部のリード角とは異なる第１のリード角の第２の断面隆起状部とを、外周および内周の一方に備えた一方の構成部材と、
前記第１のリード角とは異なる第２のリード角の第３の断面隆起状部を、外周および内周の他方に備えた他方の構成部材とからなり、
前記両構成部材において、前記第３の断面隆起状部の前記第２のリード角の面と、前記第２の断面隆起状部の前記第１のリード角の面とが接触しつつ、前記第３の断面隆起状部が、前記第１の断面隆起状部と前記第２の断面隆起状部との間に圧入されながらねじ込み移動していって摩擦係合し、両構成部材が一体に固定されること、
を特徴とする二構成部材間の締結装置。
【請求項７】
前記第１のリード角と前記第２のリード角との差は、１〜２°であることを特徴とする請求項５または請求項６記載の二構成部材間の締結装置。
【請求項８】
第１の断面隆起状部、および前記第１の断面隆起状部のリード角とは異なる第１のリード角の第２の断面隆起状部を外周および内周の一方に備えた一方の構成部材と、前記第１のリード角とは異なる第２のリード角の第３の断面隆起状部を外周および内周の他方に備えた他方の構成部材とを締結する二構成部材間の締結方法であって、
前記両構成部材において、前記第３の断面隆起状部の前記第２のリード角の面と、前記第２の断面隆起状部の前記第１のリード角の面とを接触させ、前記第３の断面隆起状部を、前記第１の断面隆起状部と前記第２の断面隆起状部との間に圧入させながらねじ込み移動させていって摩擦係合させ、両構成部材を一体に固定させること、
を特徴とする二構成部材間の締結方法。
【手続補正２】
【補正対象書類名】明細書
【補正対象項目名】００２１
【補正方法】変更
【補正の内容】
【００２１】
本発明の二構成部材間の締結装置は、第１の断面隆起状部と、前記第１の断面隆起状部のリード角とは異なる第１のリード角の第２の断面隆起状部とを、外周および内周の一方に備えた一方の構成部材と、
前記第１のリード角とは異なる第２のリード角の第３の断面隆起状部を、外周および内周の他方に備えた他方の構成部材とからなり、
前記両構成部材において、前記第３の断面隆起状部の前記第２のリード角の面と、前記第２の断面隆起状部の前記第１のリード角の面とが接触しつつ、前記第３の断面隆起状部が、前記第１の断面隆起状部と前記第２の断面隆起状部との間に圧入されながらねじ込み移動していって摩擦係合し、前記一方の構成部材と前記他方の構成部材とが圧着し前記両構成部材が一体に固定されるとともに密封状態となる。
【手続補正３】
【補正対象書類名】明細書
【補正対象項目名】００２２
【補正方法】変更
【補正の内容】
【００２２】
本発明の二構成部材間の締結装置は、第１の断面隆起状部と、前記第１の断面隆起状部のリード角とは異なる第１のリード角の第２の断面隆起状部とを、外周および内周の一方に備えた一方の構成部材と、
前記第１のリード角とは異なる第２のリード角の第３の断面隆起状部を、外周および内周の他方に備えた他方の構成部材とからなり、
前記両構成部材において、前記第３の断面隆起状部の前記第２のリード角の面と、前記第２の断面隆起状部の前記第１のリード角の面とが接触しつつ、前記第３の断面隆起状部が、前記第１の断面隆起状部と前記第２の断面隆起状部との間に圧入されながらねじ込み移動していって摩擦係合し、両構成部材が一体に固定される。
【手続補正４】
【補正対象書類名】明細書
【補正対象項目名】００２３
【補正方法】変更
【補正の内容】
【００２３】
本発明の二構成部材間の締結方法は、第１の断面隆起状部、および前記第１の断面隆起状部のリード角とは異なる第１のリード角の第２の断面隆起状部とを外周および内周の一方に備えた一方の構成部材と、前記第１のリード角とは異なる第２のリード角の第３の断面隆起状部を外周および内周の他方に備えた他方の構成部材とを締結し、さらに、
前記両構成部材において、前記第３の断面隆起状部の前記第２のリード角の面と、前記第２の断面隆起状部の前記第１のリード角の面とを接触させ、前記第３の断面隆起状部を、前記第１の断面隆起状部と前記第２の断面隆起状部との間に圧入させながらねじ込み移動させていって摩擦係合させ、両構成部材を一体に固定させる。